(57)【要約】      （修正有）【課題】音響機能を有し、取り外して単独使用もできる移動可能な音響ウォールライトを提供する。【解決手段】移動可能な音響ウォールライトは、ウォールライト１０及びウォールベース２０を備える。ウォールライトは、ウォールベース上に着脱可能に取り付けられるとともに、ハウジング１１と、音響装置と、防護カバー１２と、蓋体１３と、メイン照明灯と、補助照明灯と、充電電池とを有する。防護カバーのねじ部は、ハウジング上に接続される。蓋体は、防護カバーの頂部を覆う。メイン照明灯は、蓋体の底部に取り付けられる。補助照明灯は、ハウジング上に取り付けられて、防護カバー内に至るまで延びる。音響装置、メイン照明灯及び補助照明灯は、充電電池と電気的に接続され、充電電池は、ウォールベースの駆動電源から充電端子２３を介して充電される。【選択図】図２
0003226696.tif 000002
【実用新案登録請求の範囲】
【請求項１】
ウォールライト及びウォールベースを備えた、移動可能な音響ウォールライトであって、
前記ウォールライトは、前記ウォールベース上に着脱可能に取り付けられるとともに、ハウジングと、音響装置と、防護カバーと、蓋体と、メイン照明灯と、補助照明灯と、充電電池と、を有し、
前記音響装置及び前記充電電池は、前記ハウジング内にそれぞれ配設され、
前記防護カバーのねじ部は、前記ハウジング上に接続され、
前記蓋体は、前記防護カバーの頂部を覆い、
前記メイン照明灯は、前記蓋体の底部に取り付けられ、
前記補助照明灯は、前記ハウジング上に取り付けられて、前記防護カバー内に至るまで延び、
前記音響装置、前記メイン照明灯及び前記補助照明灯は、前記充電電池と電気的に接続され、
前記ウォールベースの底部には、壁洗浄灯と、前記壁洗浄灯と電気的に接続された駆動電源と、前記壁洗浄灯と電気的に接続されたエレクトリックアイ感光装置と、が配設され、
前記ウォールライトが前記ウォールベース上に設置されると、前記充電電池が、前記ウォールベース上の前記駆動電源に接続されることを特徴とする移動可能な音響ウォールライト。
【請求項２】
前記ハウジングの底部及び蓋体の一側には、接続先端部がそれぞれ設けられ、
２つの前記接続先端部は、前記充電電池と電気的に接続されることを特徴とする請求項１に記載の移動可能な音響ウォールライト。
【請求項３】
前記ウォールベースは、Ｌ字状に成形されるとともに、装着板と、前記装着板と一体成形された接続板と、２つの急速充電端子と、を有し、
２つの前記急速充電端子は、前記装着板上と、前記接続板の前記装着板に近い一側とにそれぞれ取り付けられ、
前記壁洗浄灯は、前記装着板の底部に取り付けられることを特徴とする請求項１に記載の移動可能な音響ウォールライト。
【請求項４】
前記蓋体は、上蓋、接続杆及び装着部を有し、  
前記上蓋は、前記防護カバーの頂部を覆い、
前記装着部は、前記防護カバー内に取り付けられるとともに、前記接続杆を介して前記上蓋に接続されることを特徴とする請求項１に記載の移動可能な音響ウォールライト。
【請求項５】
前記メイン照明灯は、本体部及びランプカバーを有し、
前記ランプカバーは、装着部の底部に係合され、
前記本体部は、前記装着部と前記ランプカバーとの間に取り付けられることを特徴とする請求項１に記載の移動可能な音響ウォールライト。
【請求項６】
前記ランプカバーには、上方に延びた複数のバンプが延設され、
前記バンプの頂部は、斜め下に延び、
前記装着部の底部には、複数の係合孔が形成され、
前記バンプは、前記係合孔に挿通されるとともに、前記装着部上に当接されることを特徴とする請求項５に記載の移動可能な音響ウォールライト。
【請求項７】
前記音響装置は、音響部と、前記音響部の底部に取り付けられた拡散部と、を有し、
前記拡散部は、前記ハウジングの外側に向かって開口しているラッパ状に成形されることを特徴とする請求項１に記載の移動可能な音響ウォールライト。
【請求項８】
接続板の装着板に近い一側には、横向きに延びた掛杆が延設され、
前記掛杆上には、装着溝が形成されていることを特徴とする請求項１に記載の移動可能な音響ウォールライト。
【請求項９】
前記蓋体は、ハンドルを有し、
前記ハンドルは、前記上蓋上に取り付けられることを特徴とする請求項１に記載の移動可能な音響ウォールライト。
【考案の詳細な説明】
【技術分野】
【０００１】
本考案は、ウォールライトに関するものであり、さらに詳しくは、移動可能な音響ウォールライトに関するものである。
【背景技術】
【０００２】
ウォールライトは、壁灯と称され、室内の壁に取り付ける補助照明装飾ライトであり、一般に乳白色のガラス製ライトカバーが組み合わされることが多い。ライトの消費電力は約１５〜４０ワットであり、光線が優雅で調和し、環境を優雅で華麗なものにすることができるため、特に、若い人達の感覚に合う居間には適している。ウォールライトの種類及び型式は多く、従来よく見かけるものにはシーリングライト、カラーチェンジングウォールライト、ベッドサイドライト、ミラーライトなどがあった。しかし、従来から市販されているウォールライトの機能は単一であり、照明機能しかない上、取り外して単独で使用することもできなかった。
【考案の概要】
【考案が解決しようとする課題】
【０００３】
従って、本考案の課題は、前記の如き、従来技術の問題点の改善が可能であり、移動可能な音響ウォールライトを提供することにある。
【課題を解決するための手段】
【０００４】
そこで、本考案者は、本考案の前記課題を解決するため鋭意検討を重ねた結果、少なくとも、取付箇所からの着脱可能であり、また、音響機能を備えたものとすることにより、前記課題を解決できる点に着目し、かかる知見に基いて本考案に想到するに至った。
すなわち、上記課題を解決するために、本考案の第１の形態によれば、ウォールライト及びウォールベースを備えた、移動可能な音響ウォールライトであって、前記ウォールライトは、前記ウォールベース上に着脱可能に取り付けられるとともに、ハウジングと、音響装置と、防護カバーと、蓋体と、メイン照明灯と、補助照明灯と、充電電池と、を有し、前記音響装置及び前記充電電池は、前記ハウジング内にそれぞれ配設され、前記防護カバーのねじ部は、前記ハウジング上に接続され、前記蓋体は、前記防護カバーの頂部を覆い、前記メイン照明灯は、前記蓋体の底部に取り付けられ、前記補助照明灯は、前記ハウジング上に取り付けられて、前記防護カバー内に至るまで延び、前記音響装置、前記メイン照明灯及び前記補助照明灯は、前記充電電池と電気的に接続され、前記ウォールベースの底部には、壁洗浄灯と、前記壁洗浄灯と電気的に接続された駆動電源と、前記壁洗浄灯と電気的に接続されたエレクトリックアイ感光装置と、が配設され、前記ウォールライトが前記ウォールベース上に設置されると、前記充電電池が、前記ウォールベース上の前記駆動電源に接続されることを特徴とする、移動可能な音響ウォールライトを提供する。
【０００５】
前記ハウジングの底部及び蓋体の一側には、接続先端部がそれぞれ設けられ、２つの前記接続先端部は、前記充電電池と電気的に接続されることが好ましい。
【０００６】
前記ウォールベースは、Ｌ字状に成形されるとともに、装着板と、前記装着板と一体成形された接続板と、２つの急速充電端子と、を有し、２つの前記急速充電端子は、前記装着板上と、前記接続板の前記装着板に近い一側とにそれぞれ取り付けられ、前記壁洗浄灯は、前記装着板の底部に取り付けられることが好ましい。
【０００７】
前記蓋体は、上蓋、接続杆及び装着部を有し、前記上蓋は、前記防護カバーの頂部を覆い、前記装着部は、前記防護カバー内に取り付けられるとともに、前記接続杆を介して前記上蓋に接続されることが好ましい。
【０００８】
前記メイン照明灯は、本体部及びランプカバーを有し、前記ランプカバーは、装着部の底部に係合され、前記本体部は、前記装着部と前記ランプカバーとの間に取り付けられることが好ましい。
【０００９】
前記ランプカバーには、上方に延びた複数のバンプが延設され、前記バンプの頂部は、斜め下に延び、前記装着部の底部には、複数の係合孔が形成され、前記バンプは、前記係合孔に挿通されるとともに、前記装着部上に当接されることが好ましい。
【００１０】
前記音響装置は、音響部と、前記音響部の底部に取り付けられた拡散部と、を有し、前記拡散部は、前記ハウジングの外側に向かって開口しているラッパ状に成形されることが好ましい。
【００１１】
接続板の装着板に近い一側には、横向きに延びた掛杆が延設され、前記掛杆上には、装着溝が形成されていることが好ましい。
【００１２】
前記蓋体は、ハンドルを有し、前記ハンドルは、前記上蓋上に取り付けられることが好ましい。
【００１３】
かくして、本考案の要旨は、次の（１）〜（９）に記載の通りのものである。
【００１４】
（１）ウォールライト及びウォールベースを備えた、移動可能な音響ウォールライトであって、
前記ウォールライトは、前記ウォールベース上に着脱可能に取り付けられるとともに、ハウジングと、音響装置と、防護カバーと、蓋体と、メイン照明灯と、補助照明灯と、充電電池と、を有し、
前記音響装置及び前記充電電池は、前記ハウジング内にそれぞれ配設され、
前記防護カバーのねじ部は、前記ハウジング上に接続され、
前記蓋体は、前記防護カバーの頂部を覆い、
前記メイン照明灯は、前記蓋体の底部に取り付けられ、
前記補助照明灯は、前記ハウジング上に取り付けられて、前記防護カバー内に至るまで延び、
前記音響装置、前記メイン照明灯及び前記補助照明灯は、前記充電電池と電気的に接続され、
前記ウォールベースの底部には、壁洗浄灯と、前記壁洗浄灯と電気的に接続された駆動電源と、前記壁洗浄灯と電気的に接続されたエレクトリックアイ感光装置と、が配設され、
前記ウォールライトが前記ウォールベース上に設置されると、前記充電電池が、前記ウォールベース上の前記駆動電源に接続されることを特徴とする移動可能な音響ウォールライト。
【００１５】
（２）前記ハウジングの底部及び蓋体の一側には、接続先端部がそれぞれ設けられ、
２つの前記接続先端部は、前記充電電池と電気的に接続されることを特徴とする前記（１）に記載の移動可能な音響ウォールライト。
【００１６】
（３）前記ウォールベースは、Ｌ字状に成形されるとともに、装着板と、前記装着板と一体成形された接続板と、２つの急速充電端子と、を有し、
２つの前記急速充電端子は、前記装着板上と、前記接続板の前記装着板に近い一側とにそれぞれ取り付けられ、
前記壁洗浄灯は、前記装着板の底部に取り付けられることを特徴とする前記（１）に記載の移動可能な音響ウォールライト。
【００１７】
（４）前記蓋体は、上蓋、接続杆及び装着部を有し、  
前記上蓋は、前記防護カバーの頂部を覆い、
前記装着部は、前記防護カバー内に取り付けられるとともに、前記接続杆を介して前記上蓋に接続されることを特徴とする前記（１）に記載の移動可能な音響ウォールライト。
【００１８】
（５）前記メイン照明灯は、本体部及びランプカバーを有し、
前記ランプカバーは、装着部の底部に係合され、
前記本体部は、前記装着部と前記ランプカバーとの間に取り付けられることを特徴とする前記（１）に記載の移動可能な音響ウォールライト。
【００１９】
（６）前記ランプカバーには、上方に延びた複数のバンプが延設され、
前記バンプの頂部は、斜め下に延び、
前記装着部の底部には、複数の係合孔が形成され、
前記バンプは、前記係合孔に挿通されるとともに、前記装着部上に当接されることを特徴とする前記（５）に記載の移動可能な音響ウォールライト。
【００２０】
（７）前記音響装置は、音響部と、前記音響部の底部に取り付けられた拡散部と、を有し、
前記拡散部は、前記ハウジングの外側に向かって開口しているラッパ状に成形されることを特徴とする前記（１）に記載の移動可能な音響ウォールライト。
【００２１】
（８）接続板の装着板に近い一側には、横向きに延びた掛杆が延設され、
前記掛杆上には、装着溝が形成されていることを特徴とする前記（１）に記載の移動可能な音響ウォールライト。
【００２２】
（９）前記蓋体は、ハンドルを有し、
前記ハンドルは、前記上蓋上に取り付けられることを特徴とする前記（１）に記載の移動可能な音響ウォールライト。
【考案の効果】
【００２３】
本考案の移動可能な音響ウォールライトは、ウォールライト及びウォールベースを含む。上述したウォールライトは、ウォールベース上に着脱可能に取り付けられる。上述したウォールライトは、ハウジングと、音響装置と、防護カバーと、蓋体と、メイン照明灯と、補助照明灯と、充電電池と、を有する。上述した音響装置及び充電電池は、ハウジング内にそれぞれ配設される。上述した音響装置、メイン照明灯及び補助照明灯は、充電電池と電気的に接続される。上述した充電電池は、音響装置、メイン照明灯及び補助照明灯に電気エネルギーを供給する。上述した補助照明灯及び防護カバーは、ハウジング上にそれぞれ配設され、上述した蓋体は、防護カバーの頂部を覆う。上述したメイン照明灯は、蓋体の底部に取り付けられる。そのため、ウォールライトに音響機能を持たせることができる上、ウォールライトを取り外して単独で使用することもできる。そのため、本考案は実用的価値が高く、普及させる価値がある。
【図面の簡単な説明】
【００２４】
【図１】本考案の一実施形態に係る移動可能な音響ウォールライトを示す斜視図である。
【図２】図１の移動可能な音響ウォールライトの使用状態の説明図である。
【図３】図１の移動可能な音響ウォールライトの使用状態の断面図である。
【考案を実施するための形態】
【００２５】
本考案の技術手段及びそれにより達成可能な効果を、より完全かつ明白に開示するために、開示した添付の図面及び符号と併せて本考案を以下に詳説する。もっとも、本考案は、かかる図面等により限定されるものではない。
【００２６】
図１〜図３を参照する。図１〜図３に示すように、本考案の一実施形態に係る移動可能な音響ウォールライトは、少なくともウォールライト１０及びウォールベース２０から構成されてなる。上述したウォールライト１０は、ウォールベース２０上に着脱可能に取り付けられる。上述したウォールライト１０は、ハウジング１１と、音響装置（図示せず）と、防護カバー１２と、蓋体１３と、メイン照明灯５０と、補助照明灯１４と、充電電池（図示せず）と、を有する。上述した音響装置及び充電電池は、ハウジング１１内にそれぞれ配設される。上述した音響装置、メイン照明灯５０及び補助照明灯１４は、充電電池と電気的に接続される。上述した充電電池は、音響装置、メイン照明灯５０及び補助照明灯１４に電気エネルギーを供給する。上述した補助照明灯１４及び防護カバー１２は、ハウジング１１上にそれぞれ配設され、上述した補助照明灯１４は、防護カバー１２内に至るまで延びる。上述した蓋体１３は、防護カバー１２の頂部を覆う。上述したメイン照明灯５０は、蓋体１３の底部に取り付けられる。上述したハウジング１１の底部及び蓋体１３の一側には、接続先端部１５，１６がそれぞれ設けられる。上述した２つの接続先端部１５，１６は、充電電池と電気的に接続され、充電電池を充電する。
【００２７】
上述した音響装置は、音響部３０と、音響部３０の底部に取り付けられた拡散部４０と、を含む。上述した拡散部４０は、ハウジング１１内の音響部３０から音声が拡散されて良い音質が得られるように、ハウジング１１の外側に向かって開口しているラッパ状に成形されている。
【００２８】
上述した防護カバー１２上には、穿孔（図示せず）が形成される。上述した防護カバー１２の底部には、雄ねじが形成される。上述したハウジング１１の底部には、凹溝（図示せず）が形成される。上述した凹溝の溝壁上には、雌ねじが形成される。上述した防護カバー１２のねじ部は、ハウジング１１上に接続される。上述した蓋体１３は、上蓋１３１、接続杆１３２、装着部１３３及びハンドル１３４を含む。上述した上蓋１３１は、防護カバー１２の頂部を覆う。上述した装着部１３３は、防護カバー１２内に取り付けられるとともに、接続杆１３２を介して上蓋１３１に接続される。上述した装着部１３３の底部には、複数の係合孔（図示せず）が形成される。上述したハンドル１３４は、使用者が操作し易いように、上蓋１３１上に取り付けられる。上述したメイン照明灯５０は、ランプカバー６０を含む。上述したランプカバー６０は、上述した装着部１３３の底部に係合される。上述した本体部は、装着部１３３とランプカバー６０との間に取り付けられる。上述したランプカバー６０には、上方に延びた複数のバンプ（図示せず）が延設される。上述したバンプの頂部は、斜め下に延びる。上述したバンプは、係合孔に挿通される。上述したバンプは、装着部１３３上に当接され、ランプカバー６０が上述した装着部１３３の底部に係合される。
【００２９】
上述したウォールベース２０は、Ｌ字状に成形される。上述したウォールベース２０は、装着板２１と、装着板２１と一体成形された接続板２２と、２つの充電端子２３，２６及び壁洗浄灯２７と、壁洗浄灯２７と電気的に接続された駆動電源（図示せず）と、壁洗浄灯２７と電気的に接続されたエレクトリックアイ感光装置と、を含む。ウォールライト１０がウォールベース２０上に設置されると、上述した充電電池は、ウォールベース２０上の駆動電源に接続される。上述した２つの急速充電端子２３は、装着板２１上と、接続板２２の装着板２１に近い一側とにそれぞれ取り付けられ、上述した壁洗浄灯２７は、装着板２１の底部と、急速充電端子２３及びエレクトリックアイ感光装置（図示せず）とにそれぞれ電気的に接続される。上述したエレクトリックアイ感光装置は、壁洗浄灯２７のオン又はオフを制御する。周囲の光線が暗いとき、上述したエレクトリックアイ感光装置は、壁洗浄灯２７をオンする。周囲の光線が明るいとき、上述したエレクトリックアイ感光装置は、壁洗浄灯２７をオフし、省エネ・環境保全を達成することができる。ウォールライト１０がウォールベース２０に取り付けられるとき、上述した２つの急速充電端子２３が２つの接続先端部１５に接続され、ウォールライト１０上の充電電池により充電する。
【００３０】
上述した接続板２２の装着板２１に近い一側には、横向きに延びた掛杆２４が延設される。上述した掛杆２４上には、装着溝２５が形成される。ウォールライト１０がウォールベース２０上に取り付けられると、上述したハンドル１３４は、上述した装着溝２５内に取り付けられ、ウォールライト１０をより確実に取り付けることができる。
【００３１】
上述した移動可能な音響ウォールライトは、制御回路基板（図示せず）を含む。上述した制御回路基板は、ハウジング１１の底部に取り付けられる。上述した制御回路基板は、充電電池と電気的に接続される。上述した制御回路基板上には、検査モジュール（図示せず）及び制御チップ（図示せず）が設けられる。上述した検査モジュールは、制御チップ上に接続される。上述した検査モジュールは、検査結果を制御チップにフィードバックする。上述した検査モジュールは、充電電池が充電状態にあるか否かを検査する。上述した制御チップは、メイン照明ライト及び補助照明灯１４のオン・オフを制御する。ウォールライト１０をウォールベース２０から取り外す際、上述した検査モジュールにより充電電池が充電状態でないことを感知すると、上述した制御チップにより補助照明ライトのオンを制御する。
【００３２】
上述したことから分かるように、本考案の移動可能な音響ウォールライトは、ウォールライト１０及びウォールベース２０を含む。上述したウォールライト１０は、ウォールベース２０上に着脱可能に取り付けられる。上述したウォールライト１０は、ハウジング１１と、音響装置と、防護カバー１２と、蓋体１３と、メイン照明灯５０と、補助照明灯１４と、充電電池と、を有する。上述した音響装置及び充電電池は、ハウジング１１内にそれぞれ配設される。上述した音響装置、メイン照明灯５０及び補助照明灯１４は、充電電池と電気的に接続される。上述した充電電池は、音響装置、メイン照明灯５０及び補助照明灯１４に電気エネルギーを供給する。上述した補助照明灯１４及び防護カバー１２は、ハウジング１１上にそれぞれ配設され、上述した蓋体１３は、防護カバー１２の頂部を覆う。上述したメイン照明灯５０は、蓋体１３の底部に取り付けられる。そのため、ウォールライトに音響機能を持たせることができる上、ウォールライトを取り外して単独で使用することもできる。そのため、本考案は実用的価値が高く、普及させる価値がある。
【００３３】
当該分野の当業者にとって理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３４】
１０  ウォールライト
１１  ハウジング
１２  防護カバー
１３  蓋体
１４  補助照明灯
１５  接続先端部
１６  接続先端部
２０  ウォールベース
２１  装着板
２２  接続板
２３  充電端子
２４  掛杆
２５  装着溝
２６  充電端子
２７  壁洗浄灯
３０  音響部
４０  拡散部
５０  メイン照明灯
６０  ランプカバー
１３１  上蓋
１３２  接続杆
１３３  装着部
１３４  ハンドル
【図１】
0003226696.tif 000003
【図２】
0003226696.tif 000004
【図３】
0003226696.tif 000005
【手続補正書】
【提出日】令和2年4月15日(2020.4.15)
【手続補正１】
【補正対象書類名】実用新案登録請求の範囲
【補正対象項目名】全文
【補正方法】変更
【補正の内容】
【実用新案登録請求の範囲】
【請求項１】
ウォールライト及びウォールベースを備えた、移動可能な音響ウォールライトであって、
前記ウォールライトは、前記ウォールベースに着脱可能に取り付けられるとともに、ハウジングと、音響装置と、防護カバーと、蓋体と、メイン照明灯と、補助照明灯と、充電電池と、を有し、
前記音響装置及び前記充電電池は、前記ハウジング内にそれぞれ配設され、
前記防護カバーのねじ部は、前記ハウジング上に接続され、
前記蓋体は、前記防護カバーの頂部を覆い、
前記メイン照明灯は、前記蓋体の底部に取り付けられ、
前記補助照明灯は、前記ハウジング上に取り付けられて、前記防護カバー内に至るまで延び、
前記音響装置、前記メイン照明灯及び前記補助照明灯は、前記充電電池と電気的に接続され、
前記ウォールベースの底部には、壁洗浄灯と、前記壁洗浄灯と電気的に接続された駆動電源と、前記壁洗浄灯と電気的に接続されたエレクトリックアイ感光装置と、が配設され、前記ウォールライトが前記ウォールベース上に設置されると、前記充電電池が、前記ウォールベース上の前記駆動電源に接続されることを特徴とする移動可能な音響ウォールライト。
【請求項２】
前記ハウジングの底部及び蓋体の一側には、接続先端部がそれぞれ設けられ、
２つの前記接続先端部は、前記充電電池と電気的に接続されることを特徴とする請求項１に記載の移動可能な音響ウォールライト。
【請求項３】
前記ウォールベースは、Ｌ字状に成形されるとともに、装着板と、前記装着板と一体成形された接続板と、２つの急速充電端子と、を有し、
２つの前記急速充電端子は、前記装着板上と、前記接続板の前記装着板に近い一側とにそれぞれ取り付けられ、
前記壁洗浄灯は、前記装着板の底部に取り付けられることを特徴とする請求項１に記載の移動可能な音響ウォールライト。
【請求項４】
前記蓋体は、上蓋、接続杆及び装着部を有し、  
前記上蓋は、前記防護カバーの頂部を覆い、
前記装着部は、前記防護カバー内に取り付けられるとともに、前記接続杆を介して前記上蓋に接続されることを特徴とする請求項１に記載の移動可能な音響ウォールライト。
【請求項５】
前記メイン照明灯は、本体部及びランプカバーを有し、
前記ランプカバーは、装着部の底部に係合され、
前記本体部は、前記装着部と前記ランプカバーとの間に取り付けられることを特徴とする請求項１に記載の移動可能な音響ウォールライト。
【請求項６】
前記ランプカバーには、上方に延びた複数のバンプが延設され、
前記バンプの頂部は、斜め下に延び、
前記装着部の底部には、複数の係合孔が形成され、
前記バンプは、前記係合孔に挿通されるとともに、前記装着部上に当接されることを特徴とする請求項５に記載の移動可能な音響ウォールライト。
【請求項７】
前記音響装置は、音響部と、前記音響部の底部に取り付けられた拡散部と、を有し、
前記拡散部は、前記ハウジングの外側に向かって開口しているラッパ状に成形されることを特徴とする請求項１に記載の移動可能な音響ウォールライト。
【請求項８】
接続板の装着板に近い一側には、横向きに延びた掛杆が延設され、
前記掛杆上には、装着溝が形成されていることを特徴とする請求項１に記載の移動可能な音響ウォールライト。
【請求項９】
前記蓋体は、ハンドルを有し、
前記ハンドルは、前記上蓋上に取り付けられることを特徴とする請求項４に記載の移動可能な音響ウォールライト。